(57)【要約】【課題】電子回路への静電気の悪影響を効果的に防止する安価な除電手段を有するパチンコゲーム機を提供すること。【解決手段】 本発明のパチンコゲーム機１は、パチンコゲーム機１背面側に形成された機構盤３上にあって、その最上段に配設された賞球タンク４が補給装置５から落下するパチンコ球を受けて一旦貯留し、賞球の払い出しにともなって賞球タンク４内からパチンコ球が順にパチンコゲーム機１に形成された流路６，８…を通って払出されるものであって、そのパチンコゲーム機１に形成された流路６，８…上に配設された揺動手段１２を有し、その揺動手段１２の流下するパチンコ球との接触部がアース側に導通されたものである。【選択図】図１
2008086810.tif 000002
【特許請求の範囲】
【請求項１】
パチンコゲーム機背面側に形成された機構盤上にあって、当該パチンコゲーム機の最上段に配設された賞球タンクが補給装置から落下するパチンコ球を受けて一旦貯留し、賞球の払い出しにともなって前記賞球タンク内からパチンコ球が順に当該パチンコゲーム機に形成された流路を通って払出されるパチンコゲーム機において、
前記流路上に配設された揺動手段を有し、当該揺動手段の流下するパチンコ球との接触部がアース側に導通されたものであり、
前記揺動手段は、揺動手段本体が絶縁材によって形成されたものであって、パチンコ球との接触面に金属板を配設し、その金属板がアース側に導通されたものである、
ことを特徴とするパチンコゲーム機。
【発明の詳細な説明】
【技術分野】
【０００１】
本発明は、パチンコ球に発生する静電気を抑制するパチンコゲーム機に関し、特に、ゲーム機背面に形成された賞球タンクから払出されるパチンコ球に帯電した静電気を除去するパチンコゲーム機に関する。
【背景技術】
【０００２】
最近のパチンコゲーム機では、遊技内容に変化を加えることによってパチンコゲーム機を利用する遊技者の興味を高めるべく種々の役物が備えられている。そのような中、パチンコゲーム機には、そのような役物の制御を含む各種機器の制御に非常に多くの電子制御回路が組み込まれている。例えば、役物制御回路、表示回路、或いは賞球の排出制御回路などあらゆる回路が組み込まれている。そして、このような制御もマイクロコンピュータ等を含む電子制御回路が主流となり、その構造も非常に複雑なものになってきている。
ところで、パチンコゲーム機に使用されるパチンコ球は、導電体である鉄によって形成されて研磨処理などが施されたものであるが、そのパチンコ球には研磨剤との摩擦によって静電気が発生し帯電することとなる。また、循環して使用されるパチンコ球は、パチンコ球同士の摩擦、若しくはパチンコ球とプラスチック材やセルロイド材が用いられている通路との摩擦などを原因としても静電気が発生することとなる。
【０００３】
そのため、パチンコゲーム機では、このようなパチンコ球に生じた静電気を原因として誤動作を生じる等の障害が発生するという問題が生じた。即ち、前述したように現在のパチンコゲーム機は、各種機器がマイコン化された電子回路によって制御されているため、パチンコ球に帯電した電荷が放電現象のようにして高電圧パルスとして発生し、その電子回路にノイズとなって生じることとなった。そのため、このようなノイズに弱い電子回路は、静電気がパチンコ球からパルス性のノイズとして発生することを原因として回路の誤動作や動作停止などの種々の障害を発生することとなった。
そこで、従来からこのような静電気に対する対策としてハードウェアの面、及びソフトウェアの面から種々の取り組みがなされてきている。しかし、これらは比較的小さいパルス性のノイズに対して有効であるものの、放電のように大きなパルス性のノイズでは、電子回路の耐圧を越える電圧が印加され各電子回路が物理的に破壊されてしまうといった問題に対処できるものではなかった。
【０００４】
一方、パチンコ球は、島設備内を下から上へと循環して各パチンコゲーム機に供給されるため、島設備内のパチンコ球の循環機やパチンコゲーム機に賞球タンクなどのようにパチンコ球が大量に集められる場所がある。そのような場所では、パチンコ球同士の衝突が激しく特に静電気が発生し易い。
そこで、従来から静電気対策を施したパチンコゲーム機が種々開発されている。その一例として特開平５―３０５１７７号公報に開示された、パチンコゲーム機背面側にある賞球タンクに連通した払出流路においてパチンコ球の帯電防止機能を備えたパチンコゲーム機が挙げられる。
以下、本公報に開示された従来のパチンコゲーム機について図面を参照して簡単に説明する。図１０は、パチンコゲーム機の払出流路の一部を示した平面図であり、カバーを外した状態を示したものである。
【０００５】
パチンコゲーム機は、列設された島毎にパチンコ球を補給するための補給樋が設けられ、所定のタイミングで各パチンコゲーム機の賞球タンクへパチンコ球が落下するよう構成されている。そして、最上段に位置する賞球タンクから払出流路を流下し、賞球基板からの所定の指令に基づいてパチンコ球が賞球として払い出されることとなる。
そのような図１０に示した払出流路の構成は、賞球排出通路１０１、余剰球排出通路１０２、連絡路１０３及び球抜き通路１０４がプラスチック材などで形成されている。そして、その流路を覆う樋カバー１１１が設けられ、流路の内部又は側方に形成された止め穴１０５に樋カバー１１１に形成されたビス穴１１２を一致させ、不図示のビスによって止着することによって樋カバー１１１が取り付けられる。
【０００６】
そして、本従来例のパチンコゲーム機では、前記課題を解決すべく、不図示の賞球タンク並びに樋カバー１１１が除電樹脂で成形されている。除電樹脂とは、例えば、カーボン系極細線維物質を数パーセント含有したＡＢＳ樹脂によって構成されたものである。
そこで、このようなカーボン系極細線維物質の先端に帯電したパチンコ球の逆のイオンが集まることによって、中和現象を起こして静電気が空気中にコロナ放電される。そのため、各通路を流下するパチンコ球は、帯電した電荷が除電樹脂によってコロナ放電されることで除去され、前述した電子回路への悪影響の防止が図られる。
【発明の開示】
【発明が解決しようとする課題】
【０００７】
しかしながら、前記従来例で示した除電手段を備えたパチンコゲーム機では、確かにその除電効果を奏する点で評価できるもののコストの面で現実的でない点で課題を残すものであった。即ち、電子回路が配設されたパチンコゲーム機の背面側で静電気の除電を行う点では従来の他のパチンコゲーム機と比べて有効であるものの、賞球タンク及び樋カバーをＡＢＳ樹脂を使用したのでは、一般に使用されるプラスチック材などに比べて価格が高くなるものであった。
一方、パチンコゲーム機において発生するパチンコ球の静電気は、パチンコ球が発射レールを伝わって表側の遊技領域内に放たれる場合のように、パチンコ球の移動量が大きい場合にも発生し易い。そこで、除電効果を奏する他の従来例としては、ガイドレールに放電部材を設けたもの（特開平７―２４１１１号公報）、或いは遊技領域内に配設された風車の軸に放電部材を設けたもの（特開平７―３１７４５号公報）等が開示されている。しかし、前述したようにパチンコ球同士が激しくの衝突しあう賞球タンクなどで静電気を多く発生すること、及びその静電気が特に電子回路への悪影響を及ぼすことを考慮すると、パチンコゲーム機の遊技領域即ち前面側に除電手段を設けるよりも背面側で除電することがより有効であるといえる。
【０００８】
そこで、本発明は、かかる課題を解決すべく、電子回路への静電気の悪影響を効果的に防止する安価な除電手段を有するパチンコゲーム機を提供することを目的とする。
【課題を解決するための手段】
【０００９】
本発明のパチンコゲーム機は、パチンコゲーム機背面側に形成された機構盤上にあって、当該パチンコゲーム機の最上段に配設された賞球タンクが補給装置から落下するパチンコ球を受けて一旦貯留し、賞球の払い出しにともなって前記賞球タンク内からパチンコ球が順に当該パチンコゲーム機に形成された流路を通って払出されるものであって、前記流路上に配設された揺動手段を有し、当該揺動手段の流下するパチンコ球との接触部がアース側に導通されたものであることを特徴とする。また、本発明のパチンコゲーム機は、前記揺動手段は、揺動手段本体が絶縁材によって形成されたものであって、パチンコ球との接触面に金属板を配設し、その金属板がアース側に導通されたものであることが望ましい。
【発明の効果】
【００１０】
このような構成からなる本発明のパチンコゲーム機では、補給装置から賞球タンク内に吐出され蓄えられた多くのパチンコ球は、その賞球タンク内でパチンコ球同士が激しくの衝突しあうため、多くの静電気を発生することとなるが、そこから順にパチンコゲーム機に形成された流路を通って払出される際、帯電したパチンコ球が揺動手段と接触すると、その接触部がアース側に導通されているためパチンコ球に帯電した電荷がアース側へ移動することで除電されることとなる。従って、パチンコ球に発生した静電気が流路に近接して配設された電子回路へ悪影響を及ぼすことを効果的に防止し、その防止手段としての除電手段を安価に提供できた。
【発明を実施するための最良の形態】
【００１１】
次に、本発明にかかるパチンコゲーム機の一実施の形態について図面を参照して詳細に説明する。図１は、本実施の形態のパチンコゲーム機を示した背面図である。
このパチンコゲーム機１は、所定量のパチンコ球を賞球として払い出すものであり、枠体２に対して開閉可能に蝶着された機構セット盤３上に形成されている。そのパチンコゲーム機１の最上段には、上方に開口した賞球タンク４が機構セット盤３に固定されている。その賞球タンク４の直上には補給装置５が配設され、吐出部５ａが垂下されている。賞球タンク４は、傾斜した底面に連通孔が形成され、その連通孔下方にはパチンコ球を整列流出し得る傾斜したタンクレール６が連設されている。
【００１２】
更に、賞球ケース７内には、タンクレール６の下流側のパチンコ球をさらに減圧して送り出す送出樋８が連設され、その送出樋８を通過するパチンコ球の数を確認する確認スイッチ、そのパチンコ球の送り出しを調節する払い出しソレノイド等（いずれも不図示）が内装されている。そして、送出樋８の下流側には排出部が形成され、排出路９ａ及び下部受け皿満タンスイッチが内装された排出路９ｂが下端部下方に開口して形成されている。
また、機構セット盤３上には、基板ボックス内に装填されたメイン基板１０が、遊技盤裏面を覆うセンタカバー１１に装着され状態で固定されている。このメイン基板１０は、パチンコゲーム機の遊技動作などを制御する制御回路が構成されている。そして、その制御回路は、制御動作を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータが装着されている。
【００１３】
そして、このような構成をなす遊技盤の背面にあて、パチンコゲーム機１のタンクレール６の途中には揺動可能な球均し１２が設けられている。タンクレール６に開孔した賞球タンク４の連通孔は、パチンコ球の詰まりを防止すべくある程度の大きさを有している。そのため、タンクレール６へはパチンコ球が重ねられて流下することとなるので、球均し１２が、更に下流側での詰まりを防止し適切なパチンコ球の払い出しを行うべくパチンコ球を整列させるよう構成されたものである。
具体的には、そのタンクレール６の底面から所定の高さの位置に軸支された球均し１２が、タンクレール６を通るパチンコ球が接触することにより下流方向に受けた力で押された場合、その球均し１２とタンクレール６底面との間に１個のパチンコ球が通過できる程度の隙間を有するよう構成されたものである。
【００１４】
そこで、次に本発明の特徴をなす球均しの第１の実施の形態について具体的に説明する。図２は、第１実施の形態の球均しの取り付け状態を示した分解斜視図である。球均し１２は、賞球タンク４に連結された連結板１３に軸支されている。この連結板１３は、賞球タンク４の底面裏にわずかに揺動するよう軸支され、図１に示すよう端部には賞球タンク４内の底板４ａに加わるパチンコ球の重量を検出する検出スイッチが係設されている。球均し１２は、このような連結板の中途下方に軸支されている。
本実施の形態の球均し１２は、同型のものが流路の幅方向に重ねて設けられている。その球均し１２，１２は、所定幅のリング材が二重にして形成されたものであり、外側には略三角形状をしたおむすび型の三角リング１２ａをなし、その内部には２個の円形リング１２ｂ，１２ｃが嵌装されている。この円形リング１２ｂ，１２ｂにはパチンコ球の挿入が可能であり、球均し１２，１２の自重を調節して、揺動具合を調整することができる。そして、円形リング１２ｂ，１２ｃを底面にした三角リング１２ａの頂部に支持管１２ｄが形成されている。また、本実施の形態では、球均し１２，１２は銅材などの導電材で形成されている。
【００１５】
このような構成の球均し１２，１２は、ビス１４によって連結板１３の支持部１３ａ，１３ａに軸支されている。また、一方の球均し１２にはカーボンパッキン１６が接触するようビス１４に貫かれて設けられている。そして、そのカーボンパッキン１６にはアース線１５が接続され、パチンコゲーム機の金枠或いは外枠などのアース側へ接続されている。
そこで、賞球タンク４内に蓄えられたパチンコ球は、前述したようにそのタンク内で激しく衝突しあい多くの静電気を発生させたままタンクレール６内へと送られることとなる。しかし、本実施の形態では、そのタンクレール６内を通るパチンコ球が図３に示すように球均し１２，１２によって均されて整列した状態で通過することとなるため、パチンコ球が球均し１２，１２に接触した際に帯電した電荷が球均し１２，１２を介してアース側へ移動し、静電気の発生したパチンコ球が除電される。
【００１６】
従って、本実施の形態のパチンコゲーム機によれば、従来パチンコ球の整列のために使用してきた球均しに除電効果を与えるよう構成したことで、メイン基板１０を構成する制御回路、特にマイクロコンピュータへの悪影響を防止することが可能となった。また、球均しを利用して構成したことによって除電手段を簡易に構成することができ、かつ部材費用もかからないことから、除電手段を安価に提供することが可能となった。
【００１７】
次に、本発明の第２実施の形態について説明する。なお、以下に示す第２乃至第６実施の形態は、いずれも前記第１実施の形態で示したパチンコゲーム機の球均し１２に代わる変形例であるため、他の構成は省略しその特徴的な構成である球均しについてのみ説明する。
そこで、図４は、第２実施の形態の球均し２１を示した分解斜視図である。本実施の形態の球均し２１は、樹脂などの絶縁材で形成されたひょうたん型の球均し本体２２から構成され、体積の大きい方を下部にする一方、上端部に厚み方向に支持孔２３が穿設されている。この球均し２１の厚みは、配設されるタンクレール６幅に対応させたものである。そして、支持孔２３には、球均し本体２２を揺動支持するための金属パイプ２４が嵌挿される。また、球均し２１には、短冊状の金属板２５が用意され、リード線２６を介してカーボンパッキン２７に接続されている。
【００１８】
そこで、前記第１実施の形態のようにこの球均し２１の取り付けには、連結板１３の支持部１３ａ，１３ａ間に金属パイプ２４が嵌挿された球均し本体２２が配設され、金属パイプ２４と一方の支持部１３ａとの間にカーボンパッキン２７を挟んだ状態で、ボルト２８が一方から貫通され他方でナットなどで固定される。また、カーボンパッキン２７にはアース線１５が接続されている。球均し２１が取り付けられた状態では、金属板２５は、球均し本体２２の曲面部、特にパチンコ球が接触する上流側の曲面部２２ａにならうように添えられる。よって、本実施の形態では、その金属板２５が、リード線２６、カーボンパッキン２７、そして、そのカーボンパッキン２７に接続された不図示のアース線１５を介して金枠などのアース側へ接続されるよう構成されることとなる。
【００１９】
従って、前述したように賞球タンク４からタンクレール内を流れるパチンコ球は、この球均し２１に均されることとなる。その際、必ず金属板２５に接触するため、帯電したパチンコ球は金属板２５との接触によって電荷が金属板２５からアース側へ移動することで除電される。
よって、本実施の形態のパチンコゲーム機によれば、従来パチンコ球の整列のために使用してきた球均しに除電効果を与えるように構成したことによって、メイン基板１０を構成する制御回路、特にマイクロコンピュータへの悪影響を防止することが可能となった。また、球均しを利用して構成したことによって除電手段を簡易に構成することができ、かつ部材費用もかからないことから除電手段を安価に提供することが可能となった。
【００２０】
次に、本発明の第３実施の形態について説明する。ここで、図５は、第３実施の形態の球均しを示した分解斜視図である。
本実施の形態の球均し３１は、前記第２実施の形態のものと同様に樹脂などの絶縁材で形成されたひょうたん型の球均し本体３２から構成され、体積の大きい方を下部にする一方、上端部に厚み方向に支持孔３３が穿設されている。この球均し本体３２の厚みは、配設されるタンクレール６幅に対応させたものである。そして、その支持孔３３には、球均し本体３２を揺動支持するための金属パイプ３４が嵌挿される。そして本実施の形態の球均し３１には、球均し本体３２へ側方から装着する金属製のカバー３５が用意されている。
そこで、前記第１実施の形態のようにこの球均し３１の取り付けには、連結板１３の支持部１３ａ，１３ａ間に、カバー３５が装着され金属パイプ３４が嵌挿された球均し本体３２が配設され、金属パイプ３４と一方の支持部１３ａとの間にカーボンパッキン３６を挟んだ状態で、ボルト３７が一方から貫通され他方でナットなどで固定される。
【００２１】
従って、球均し３１が取り付けられた状態では、カバー３５は、球均し本体３２を覆って設けられ、カーボンパッキン３６に接続された不図示のアース線１５を介して金枠などのアース側へ接続されるよう構成されることとなる。
そのため、本実施の形態のパチンコゲーム機においてもタンクレール内を流れるパチンコ球が、この球均し３１に接触することで整列されるとともに除電され、制御回路等への悪影響を防止することが可能となった。また、このような簡易な構成により除電手段を安価に提供することも可能となった。
【００２２】
次に、本発明の第４実施の形態について説明する。ここで、図６は、第４実施の形態の球均しを示した斜視図である。
本実施の形態の球均し４１は、前記第３実施の形態のものと同様に樹脂などの絶縁材で形成されたひょうたん型の球均し本体４２から構成され、体積の大きい方を下部にする一方、上端部に厚み方向に支持孔４３が穿設されている。この球均し本体４２の厚みは、配設されるタンクレール６幅に対応させたものである。そして、その支持孔４３には、球均し本体４２を揺動支持するための金属パイプ４４が嵌挿される。そして本実施の形態の球均し４１には、その球均し本体４２の中心を貫くように導電繊維製のブラシ４５がはめ込まれている。具体的には、ブラシ４５は、カーボン混合繊維から形成された短冊形状をなしたものであり、その一端が支持孔４３内にまで達し、他端が球均し本体４２の真下から所定量突出するよう形成されたものである。
【００２３】
そこで、前記第１実施の形態のようにこの球均し４１の取り付けには、連結板１３の支持部１３ａ，１３ａ間に金属パイプ４４が嵌挿された球均し本体４２が配設され、金属パイプ４４と一方の支持部１３ａとの間にカーボンパッキン４６を挟んだ状態で、ボルト４７が一方から貫通され他方でナットなどで固定される。
従って、球均し３１が取り付けられた状態では、支持孔４３内に達したブラシ４５が金属パイプ４４と接触し、そのブラシ４５が、金属パイプ４４、カーボンパッキン４６、そしてそのカーボンパッキン４６に接続された不図示のアース線１５を介して金枠などのアース側へ接続されるよう構成されることとなる。
そのため、本実施の形態のパチンコゲーム機においてもブラシ４５に接触するパチンコ球を除電して制御回路等への悪影響を防止することが可能となり、その除電手段を安価に提供することが可能となった。特に、本実施の形態のものでは、下端に突出したブラシ４５へパチンコ球が接すればよいため、球均し本体４２は２段に重なって流れてきたパチンコ球にのみ当たるよう高さを調節することができ、タンクレールを流れるパチンコ球への抵抗を軽減することで全体の流れをスムーズにすることができる。
【００２４】
次に、本発明の第５実施の形態について説明する。ここで、図７は、第５実施の形態の球均しを示した斜視図である。
本実施の形態の球均し５１は、前記第４実施の形態のものと同様に樹脂などの絶縁材で形成されたひょうたん型の球均し本体５２から構成され、体積の大きい方を下部にする一方、上端部に厚み方向に支持孔５３が穿設されている。この球均し本体５２の厚みは、配設されるタンクレール６幅に対応させたものである。そして、その支持孔５３には、球均し本体５２を揺動支持するための金属パイプ５４が嵌挿される。そして本実施の形態の球均し５１には、その球均し本体５２の中心を貫くように針５５がはめ込まれている。具体的には、針５５は、その一端が支持孔５３内にまで達し、他端が球均し本体５２の真下から所定量突出するよう形成されたものである。
【００２５】
そこで、前記第１実施の形態のようにこの球均し５１の取り付けには、連結板１３の支持部１３ａ，１３ａ間に、針５５が装着され金属パイプ５４が嵌挿された球均し本体５２が配設され、金属パイプ５４と一方の支持部１３ａとの間にカーボンパッキン５６を挟んだ状態で、ボルト５７が一方から貫通され他方でナットなどで固定される。
従って、球均し５１が取り付けられた状態では、支持孔５３内に達した針５５が金属パイプ５４と接触し、その針５５が、金属パイプ５４、カーボンパッキン５６、そして、そのカーボンパッキン５６に接続された不図示のアース線１５を介して金枠などのアース側へ接続されるよう構成されることとなる。
そのため、本実施の形態のパチンコゲーム機においても針５５に接触するパチンコ球を除電して制御回路等への悪影響を防止することが可能となり、その除電手段を安価に提供することが可能となった。また、前記第４実施の形態のものと同様に、タンクレールを流れるパチンコ球への抵抗を軽減することで全体の流れをスムーズにすることができる。
【００２６】
次に、本発明の第６実施の形態について説明する。ここで、図８は、第６実施の形態の球均しを示した斜視図である。
本実施の形態の球均し６１は、前記実施の形態のものと同様なひょうたん型の形状をなし、上端部に厚み方向に支持孔６２が穿設されたものであって、それ自体が金属によって形成されてたものである。
そこで、前記第１実施の形態のようにこの球均し６１の取り付けるには、連結板１３の支持部１３ａ，１３ａ間に金属パイプ６３が嵌挿された球均し６１が配設され、金属パイプ６３と一方の支持部１３ａとの間にカーボンパッキン６４を挟んだ状態で、ボルト６５が一方から貫通され他方でナットなどで固定される。  従って、球均し６１が取り付けられた状態では、金属パイプ６３、カーボンパッキン６４、そして、そのカーボンパッキン６４に接続された不図示のアース線１５を介して金枠などのアース側へ接続され、タンクレールを流れるパチンコ球が除電されることとなる。そのため、制御回路等への悪影響を防止することが可能となり、その除電手段を安価に提供することが可能となった。
【００２７】
次に、本発明の第７実施の形態について説明する。本実施の形態のパチンコゲーム機は、前記第１実施の形態で示したものと同様な構成をなすものであり、その特徴とするところは、パチンコ球の流路上に配設させた球均しに代わる揺動部材を設けた点にある。なお、他の構成は前記第１実施の形態で示したパチンコゲーム機と同様であるため省略する。そこで、図９は、本実施の形態の除電手段を示した斜視図である。
本実施の形態の除電手段は、タンクレール６の下流部に配設されるものである。そのタンクレール６は、下流側に流路を２分割する分流板６ａが立設され、その両側の壁面頂部には、それぞれ２カ所づつ取付穴６ｂ，６ｂ…が形成されている。一方、タンクレール６の流路幅に合わせた板材７１が用意され、その両端には取付穴６ｂ，６ｂ…に嵌合する支軸７２，７２が設けられている。また、板材７１には、その中央線上に沿って取付部７３が立設され、それを挟むように２カ所の穴７４，７４が開設されている。
【００２８】
そして、このような板材７１に対して２本の接触部７５ａ，７５ａが跳ね上げられた形状の球止め部材７５が設けられている。
そこで、球止め部材７５は、タンクレール６に取り付けられた板材７１の取付部７３にビス７６によって揺動可能に軸支され、その接触部７５ａ，７５ａが穴７４，７４から下方に突出するよう係設される。このとき、板材７１に係設された接触部７５ａ，７５ａは、分流板６ａを挟んで位置し、それぞれを流れるパチンコ球がその接触部７５ａ，７５ａに接触するよう構成される。また、ビス７６の先端にはカーボン製の止め輪７７が嵌合され、それに不図示のアース線が接続されている。
【００２９】
よって、本実施の形態のパチンコゲーム機では、このような除電手段を設けたことにより、賞球タンク４からタンクレール６内に流れ込んだパチンコ球が必ず接触部７５ａ，７５ａに接触するため、パチンコ球に帯電した電荷は、その板材７１から止め輪７７に接続されたアース線を介して除電される。そのため、本実施の形態のものでも制御回路等への悪影響を防止することが可能となり、その除電手段を安価に提供することが可能となった。
【００３０】
以上、本発明にかかるパチンコゲーム機の実施の形態について数例を挙げて説明したが、本発明は、これら実施の形態に限定されるものではなく、その趣旨を逸脱しない範囲で様々な変更が可能である。
例えば、前記各実施の形態では除電手段１２，２１…をタンクレール上に配設させたが、その配置は当該箇所に限定されるものではなく他の流路上であってもよい。
【００３１】
本発明は、パチンコゲーム機背面側に形成された機構盤上にあって、その最上段に配設された賞球タンクが補給装置から落下するパチンコ球を受けて一旦貯留し、賞球の払い出しにともなって前記賞球タンク内からパチンコ球が順に前記パチンコゲーム機に形成された流路を通って払出されるものであって、当該揺動手段の流下するパチンコ球との接触部がアース側に導通された構成としたことにより、帯電したパチンコ球が流下する際、その揺動手段と接触することによって帯電した電荷がアース側に移動するので、電子回路への静電気の悪影響を効果的に防止し、その防止手段としての除電手段を安価にしたパチンコゲーム機を提供することが可能となった。
【図面の簡単な説明】
【００３２】
【図１】本発明の一実施の形態を示したパチンコゲーム機の背面図である。
【図２】第１実施の形態の球均しの取り付け状態を示した分解斜視図である。
【図３】第１実施の形態の球均しの動作状態を示した正面図である。
【図４】第２実施の形態の球均しを示した分解斜視図である。
【図５】第３実施の形態の球均しを示した分解斜視図である。
【図６】第４実施の形態の球均しを示した斜視図である。
【図７】第５実施の形態の球均しを示した斜視図である。
【図８】第６実施の形態の球均しを示した斜視図である。
【図９】第７実施の形態の除電手段を示した斜視図である。
【図１０】従来のパチンコゲーム機における払出流路の一部を示した平面図であり、カバーを外した状態を示したものである。
【符号の説明】
【００３３】
１    パチンコゲーム機
２    枠体
３    機構セット盤
４    賞球タンク
４ａ  底板
５    補給装置
５ａ  吐出部
６    タンクレール
６ａ  分流板
６ｂ  取付穴
７    賞球ケース
８    送出樋
９ａ，９ｂ  排出路
１０  メイン基板
１１  センタカバー
１２  球均し
１２ａ  三角リング
１２ｂ，１２ｃ  円形リング
１２ｄ  支持管
１３  連結板
１３ａ  支持部
１４  ビス
１５  アース線
２１，３１，４１，５１，６１  球均し
２２，３２，４２，５２  球均し本体
２３，３３，４３，５３，６２  支持孔
２４，３４，４４，５４，６３  金属パイプ
２５  金属板
２６  リード線
２７，３６，４６，５６，６４  カーボンパッキン
２８，３７，４７，５７，６５  ボルト
３５  カバー
４５  ブラシ
５５  針金
７１  板材
７２  支軸
７３  取付部
７４  穴  
７５  球止め部材
７５ａ  接触部
７６  ビス
７７  止め輪
１０１  賞球排出通路
１０２  余剰球排出通路
１０３  連絡路
１０４  球抜き通路
１０５  止め穴
１１１  樋カバー
１１２  ビス穴
【図１】
2008086810.tif 000003
【図２】
2008086810.tif 000004
【図３】
2008086810.tif 000005
【図４】
2008086810.tif 000006
【図５】
2008086810.tif 000007
【図６】
2008086810.tif 000008
【図７】
2008086810.tif 000009
【図８】
2008086810.tif 000010
【図９】
2008086810.tif 000011
【図１０】
2008086810.tif 000012